(57)【要約】【課題】　デモモードを備えた簡素なデジタルカメラを提供する。【解決手段】　デジタルカメラ上の画像ディスプレイを利用する方法は、以下のステップを含む。画像ディスプレイ上に、デジタルカメラに関連する特徴と機能を示すデモモードを開始するステップ。ユーザ入力が全く検出されない間は、デモンストレーションを実行するステップ。ユーザ入力を検出すると、デモンストレーションを終了するステップ。画像ディスプレイの通常の使用を可能にするステップ。ユーザ入力が検出されないまま、所定時間が経過した後は、自動的にデモンストレーションを再開するステップ。【選択図】図１
2004096756.tif 000002
【特許請求の範囲】
【請求項１】
　デジタルカメラ上の画像ディスプレイを利用する方法であって、以下のステップを含む方法：
　　ａ）　画像ディスプレイ上に、デジタルカメラに関連する特徴と機能を示すデモモードを開始するステップ；
　　ｂ）　ユーザ入力が全く検出されない間は、デモンストレーションを実行するステップ；
　　ｃ）　ユーザ入力を検出すると、デモンストレーションを終了するステップ；
　　ｄ）　画像ディスプレイの通常の使用を可能にするステップ；および
　　ｅ）　ユーザ入力が検出されないまま、所定時間が経過した後、自動的にデモンストレーションを再開するステップ。
【請求項２】
　画像ディスプレイを含むデジタルカメラであって、以下を含むデジタルカメラ：
　　ａ）　画像ディスプレイ上で、デジタルカメラに関連する特徴と機能を示すデモモードを開始する手段；
　　ｂ）　ユーザ入力が全く検出されない間は、デモンストレーションを実行する手段；
　　ｃ）　ユーザ入力を検出すると、デモンストレーションを終了する手段；
　　ｄ）　画像ディスプレイの通常の使用を可能にする手段；および
　　ｅ）　ユーザ入力が検出されないまま、所定時間が経過した後、自動的にデモンストレーションを再開する手段。
【請求項３】
　デモモードがデモプログラムおよび画像を含む、請求項２に記載のデジタルカメラ。
【発明の詳細な説明】
【技術分野】
【０００１】
　本発明は、概して、デジタルスチールカメラ、特にディスプレイ画面を含むデジタルスチールカメラの分野に関する。さらに具体的には、本発明は、カメラのデモンストレーション機能を表示可能なディスプレイ画面を含むデジタルスチールカメラに関する。
【背景技術】
【０００２】
　混雑した売場では、ある者の製品を識別する必要がある。ある製品を識別する１つの方法は、その製品への注意を促し、さらには、使い方もしくは機能を説明する「デモモード（ｄｅｍｏ　ｍｏｄｅ）」を、その製品自体に設けることである。フィリップス（Ｐｈｉｌｌｉｐｓ）　ＦＷ　Ｃ１／３７ＴＭ　ステレオ　オーディオ　システム（Ｓｔｅｒｅｏ　Ａｕｄｉｏ　Ｓｙｓｔｅｍ）やシャープ（Ｓｈａｒｐ）　ＣａｒｏｕｓｅｌＴＭ　マイクロウェーブ　オーブン（Ｍｉｃｒｏｗａｖｅ　ｏｖｅｎ）などの製品は、製品販売を補助するデモモードを有している。
【発明の開示】
【発明が解決しようとする課題】
【０００３】
　これらのデモモードは、機能の説明にテキスト表示を用いている。これらの装置では、電力が供給されると、自動的にデモモードがデフォルトとなる。これは、停電する度にデモモードを表示させるため、煩わしくなることもある。代替手段としては、装置をデモモードにするために、装置が何らかの特別なシーケンスの入力を要求することである。このため、販売員がそのシーケンスの特別なシーケンスを知っており、かつ、デモモードを起動させようとする動機を有している必要がある。これは従業員の移動率が速く、モチベーションが低い、小売環境では難しいものとなるだろう。
【０００４】
　製品をデモンストレートするために、ビデオプレーヤが用いられる場合もある。これは費用が嵩み、さらには、多くの場合、デモの音に疲れた従業員が、画面に何も映さなかったり、スイッチを切ってしまったりしてしまう。
【０００５】
　通常、カメラなどのバッテリーで動く装置は、デモモードを備えていない。結果的に、デモモードにおいても電力が供給され続け、起動に全く人間の介入を要さず、通常の消費者の取り扱いを続けるうちにデモモードも変化し得る、カメラのようなバッテリーで動く装置のためのデモモード表示方法が必要とされている。加えるに、デモモードは、カメラの特徴と機能を示すことに止まらず、機能性も提供すべきである。
【課題を解決するための手段】
【０００６】
　前述の要求は、以下のステップを含む、デジタルカメラ上の画像ディスプレイを利用する方法の提供により、満たすことが出来る：
　画像ディスプレイ上に、デジタルカメラに関連した特徴と機能を示すデモモードを開始するステップ；
　ユーザ入力が全く検出されない間は、デモンストレーションを実行するステップ；
　ユーザ入力を検出すると、デモンストレーションを終了するステップ；
　画像ディスプレイの通常の使用を可能にするステップ；およびユーザ入力が検出されないまま、所定時間が経過した後、自動的にデモンストレーションを再開するステップ。
【発明を実施するための最良の形態】
【０００７】
　本発明の上記および他の目的、特徴、および効果は、以下の説明および図面を参照することにより、より明瞭となろう。図に共通な同一要素を示すために、ここでは、可能な所で、同じ参照番号が使われている。
【０００８】
　図１は、本発明に従って作られたシステムを例示している。システムは、着脱可能メモリカード１６に格納されるディジタル画像を生成する、デジタルスチールカメラ１２を含んでいる。このデジタルスチールカメラ１２は、コダック（Ｋｏｄａｋ）ＡｄｖａｎｔｉｘＴＭ　プレビューカメラ（Ｐｒｅｖｉｅｗ　Ｃａｍｅｒａ）などのフィルム／電子ハイブリッドタイプ、もしくは、コダック（Ｋｏｄａｋ）ＬＳ４２０ＴＭ　デジタルカメラ（Ｄｉｇｉｔａｌ　Ｃａｍｅｒａ）などの完全な電子タイプのものでもよい。画像は、個々の静止画像、もしくはモーションバースト画像であってもよい。デジタルスチールカメラ１２は、デジタルスチールカメラ１２の回路に電力を供給する電源３４６に接続した、バッテリー３４４によって動かされる。また、デジタルスチールカメラ１２は、ＡＣ／ＤＣコンバータ３４５により動かされてもよい。デジタルカメラ１２は、ズームモータドライブおよびフォーカスモータドライブを有するレンズ３１２、調節可能なアパーチャー、およびシャッター（図示せず）を含んでいる。ユーザは、光学ファインダ（図示せず）もしくは画像ディスプレイ３３２を用いて画像を構成し、その後、静止画像のキャプチャを開始するために、シャッターボタン３３１を押し下げる。ユーザコントロール３０３は、シャッターボタン３３１およびフラッシュオン／オフボタン３３３の操作用インタフェースとして機能する。ユーザはまた、フラッシュオン／オフボタン３３３を押したことを、ユーザコントロール３０３を通して、制御プロセッサ３０４に合図することが出来る。レンズ３１２は、例えば、シングル‐チップカラーＣＣＤ画像センサなどの画像センサ３１４上に、周知のバイエルカラーフィルタパターンを用いて、シーン（図示せず）からの光の焦点を合わせる。画像センサ３１４は、クロックドライバー３０６により制御される。クロックドライバー３０６は、制御プロセッサ、および、タイミングジェネレータ回路３０４により供給される制御信号によって制御される。制御プロセッサおよびタイミングジェネレータ３０４は、自動露光探知器３０８からの入力を受け、フラッシュ３０２を制御する。画像センサ３１４からのアナログ出力信号は、増幅され、アナログ信号処理（ＡＳＰ）およびアナログデジタル（Ａ／Ｄ）コンバータ回路３１６により、ディジタルデータに変換される。ディジタルデータは、ＤＲＡＭバッファメモリ３１８に格納され、次いで、フラッシュＥＰＲＯＭメモリでもよいファームウェアメモリ３２８に格納されたファームウェアにより制御されるプロセッサ３２０によって処理される。
【０００９】
　処理されたディジタル画像ファイルは、ＲＡＭメモリ３２６に格納されるか、あるいは、ディジタル画像ファイルを着脱可能メモリカード１６に格納する、メモリカードインタフェース３２４に提供される。着脱可能メモリカード１６は、着脱可能画像デジタル記憶媒体の１つのタイプであり、いくつかの異なる物理フォーマットで利用可能である。例えば、着脱可能メモリカード１６は、１９９１年９月に、カリフォルニア州サニーベル（Ｓｕｎｎｙ　ｖａｌｅ）の、ザ　パーソナル　コンピュータ　メモリ　カード　インターナショナル　アソシエーション（ｔｈｅ　Ｐｅｒｓｏｎａｌ　Ｃｏｍｐｕｔｅｒ　Ｍｅｍｏｒｙ　Ｃａｒｄ　Ｉｎｔｅｒｎａｔｉｏｎａｌ　Ａｓｓｏｃｉａｔｉｏｎ）により発行された、ピーシー　カード　スタンダード、リリース　２．０（ＰＣ　Ｃａｒｄ　Ｓｔａｎｄａｒｄ，　Ｒｅｌｅａｓｅ　２．０）で説明されているように、ＰＣＭＣＩＡカードインタフェース規格に適合するメモリカードを含んでいてもよい。また、着脱可能メモリカード１６は、１９９８年８月５日に、カリフォルニア州パロアルト（Ｐａｌｏ　ａｌｔｏ）の、コンパクト　フラッシュ　アソシエーション（Ｃｏｍｐａｃｔ　Ｆｌａｓｈ　Ａｓｓｏｃｉａｔｉｏｎ）により発行された、コンパクト　フラッシュ　スペシフィケーション、　バージョン　１．４（Ｃｏｍｐａｃｔ　Ｆｌａｓｈ　Ｓｐｅｃｉｆｉｃａｔｉｏｎ、　Ｖｅｒｓｉｏｎ　１．４）、あるいは、周知のスマートメディア（ＳｍａｒｔＭｅｄｉａ）、　メモリスティック（ＭｅｍｏｒｙＳｔｉｃｋ）、あるいはＳＤメモリカードフォーマットなどで説明されているように、コンパクト　フラッシュ（Ｃｏｍｐａｃｔ　Ｆｌａｓｈ）インタフェース規格に適合していてもよい。ディジタル画像を格納するために、磁気ハードドライブ、磁気テープ、もしくは光ディスクなど、他のタイプの着脱可能画像デジタル記憶媒体も、代替的に使用可能である。
【００１０】
　プロセッサ３２０は、レンダリングされたｓＲＧＢ画像データの生成のために、後に色およびトーンの修正を伴う、色補間を実行する。そして、レンダリングされたｓＲＧＢ画像データは、着脱可能メモリカード１６上にＪＰＥＧ画像ファイルとして、ＪＰＥＧ圧縮されて格納される。ＪＰＥＧファイルは、１９９８年７月に、日本国、東京都の、日本電子工業振興会（Ｊａｐａｎ　Ｅｌｅｃｔｒｉｃ　Ｉｎｄｕｓｔｒｙ　Ｄｅｖｅｌｏｐｍｅｎｔ　Ａｓｓｏｃｉａｔｉｏｎ）（ＪＥＩＤＡ）による、「デジタルスチールカメラ画像ファイルフォーマット（Ｄｉｇｉｔａｌ　Ｓｔｉｌｌ　Ｃａｍｅｒａ　Ｉｍａｇｅ　Ｆｉｌｅ　Ｆｏｒｍａｔ）（Ｅｘｉｆ）」バージョン２．１（ｖｅｒｓｉｏｎ　２．１）で定義された、いわゆる「Ｅｘｉｆ」画像形式を使用する。このフォーマットは、例えば、写真をキャプチャした日付および時間、レンズｆ／番号および他のカメラ設定、さらに、カメラユーザが選択もしくは入力可能な、画像見出しあるいはコメントなどの、特定の画像メタデータを格納する、Ｅｘｉｆアプリケーションセグメントを含んでいる。
【００１１】
　プロセッサ３２０はまた、本願明細書において引用により組み込まれている、「フルおよび低減解像度画像の多フォーマット格納を提供する電子スチルカメラ（Ｅｌｅｃｔｒｉｃ　Ｓｔｉｌｌ　Ｃａｍｅｒａ　Ｐｒｏｖｉｄｉｎｇ　Ｍｕｌｔｉ−Ｆｏｒｍａｔ　Ｓｔｏｒａｇｅ　ｏｆ　Ｆｕｌｌ　Ａｎｄ　Ｒｅｄｕｅｔｉｏｎ　Ｒｅｓｏｌｕｔｉｏｎ　Ｉｍａｇｅｓ）」と題された、１９９２年１１月１７日に発行されたクチタ（Ｋｕｃｈｔａ）他に対する共に譲渡された米国特許第５，１６４，８３１号明細書で説明されているように生成可能な、低解像度「サムネイル（ｔｈｕｍｂｎａｉｌ）」サイズ画像を生成する。このサムネイル画像は、後述するＤＣＦ規則に従うよう、１６０×１２０画素を有し、ＲＡＭメモリ３２６に格納され、画像ディスプレイ３３２へ供給される。
【００１２】
　ＪＰＥＧ圧縮された主画像、サムネイル画像、および画像メタデータを含むＥｘｉｆ画像ファイルは、１９９８年１２月に、日本国、東京都の、日本電子工業振興会（Ｊａｐａｎ　Ｅｌｅｃｔｒｉｃ　Ｉｎｄｕｓｔｒｙ　Ｄｅｖｅｌｏｐｍｅｎｔ　Ａｓｓｏｃｉａｔｉｏｎ）（ＪＥＩＤＡ）による、「カメラファイルシステムのためのデザインルール（Ｄｅｓｉｇｎ　Ｒｕｌｅ　Ｆｏｒ　Ｃａｍｅｒａ　Ｆｉｌｅ　Ｓｙｓｔｅｍ）」バージョン１（ｖｅｒｓｉｏｎ　１．０）において定義された、いわゆる“ＤＣＦ”規則に従うディレクトリ構造を用いて、着脱可能メモリカード１６上へ格納される。ディスプレイ３３２は、デジタルスチールカメラ１２の小売販売を補助するよう、デモンストレーションモードでの使用に供することが出来る。電力を検出すると、プロセッサ３２０は、ディスプレイ３３２が、デジタルスチールカメラ１２の販売補助用に設計された画像表示プログラムに、アクセスすることができる。画像は、構成が簡単であってもよく、それにより、デジタルスチールカメラ１２のプログラムメモリに保存するよう、高圧縮可能となる。デモ用表示ルーチンは、図２で示されるように、無地の背景４０４上へのテキスト表示４０２と同程度に簡単であってよい。そこから、表示される画像は、複雑さを増し、グラフィックスを動かし、ダイナミックな表示を生成する追加プログラムコードを必要とし、さらにまた、図３に示されるような、追加メモリを必要とする、写真のリアル画像４０６を取り入れてもよい。
【００１３】
　デモモードは、デモを実演中のデジタルスチールカメラモデル用の専用デモであってもよいし、あるいは、様々なバージョンのデジタルスチールカメラ用の普遍的デモであってもよい。デモが着脱可能メモリカード１６上に含まれる場合は、多くの異なるデモを含むことが出来る。この場合、デジタルスチールカメラ１２は、デジタルスチールカメラ１２のモデルもしくはバージョンに適合したデモを自動選択可能である。デモが普遍的タイプである場合は、デモの実行プログラムは、プログラムメモリ内にはない画像ファイルにアクセスしてもよい。これらの画像ファイルは、個々のデジタルスチールカメラ１２のモデルに特有のものであってよく、デジタルスチールカメラ１２内もしくは着脱可能メモリカード１６内のどこかにある、不揮発性メモリ内に置くことが出来る。この方式では、普遍的デモを、異なるデジタルスチールカメラ１２用にカスタマイズ可能である。さらに、プロセッサが適切な記憶域に専用画像を検出しない場合は、追加画像なしでのデモ実行ルーチンへデフォルトしてもよい。
【００１４】
　デモは、すべてのデジタルスチールカメラで、もしくは小売展示専用デジタルスチールカメラのみで利用可能であってもよい。すべてのデジタルスチールカメラが小売展示されるというわけではないので、すべてのデジタルスチールカメラがデモモードを組み込む必要はないかもしれないが、どの１台が小売となってもデモの提供が可能となるよう、すべてのデジタルカメラがデモモードを備えることは有利である。特別なデジタルスチールカメラを要せずに、デモを提供することは有利である。さらに、ユーザに、ユーザが個人的にキャプチャした画像のスライドショーを提供するなど、デモに小売環境を超えたユーティリティがある場合は、デモモードを取り入れるべき追加理由が提供されよう。
【００１５】
　小売の現場では、消費者がデジタルスチールカメラ１２を使用できるようにすることが所望されよう。この状況では、デジタルスチールカメラ１２は、消費者がデジタルスチールカメラ１２を使用出来るよう、デモモードを終了するのが望ましい。デジタルスチールカメラ１２は、完全な機能性を提供し、その後、不活性の期間の後にデモモードに戻ってもよい。この様に、デジタルスチールカメラ１２は、所定の時間が経過すると、デモモードに戻るオプションを有したまま、使用可能である。
【００１６】
　図４では、ステップ４１０で電源がオンとなり、ステップ４１２でデジタルスチールカメラ１２はデモモードに入いる。一旦デモモードに入ると、ステップ４１４で画像がディスプレイ３３２に表示される。ボタンの押下が検出された場合４１６は、プロセッサ３２０は、カウンタ（図示せず）をクリアし、ステップ４１８でフラグを設定し、その後、ボタン押下を実行する４２０。これにより、顧客が操作している限り、デジタルスチールカメラ１２は、デモモードに入っていなかったかのように動作可能となる。ステップ４１６において、ボタン押下が全く検出されない場合は、ステップ４２２でフラグの状態がテストされる。フラグが設定されていない場合は、デジタルスチールカメラ１２はデモモードのままである。フラグが設定されている場合は、ステップ４２４でカウンタが増加される。ステップ４２６でカウンタがオーバーフローすると、フラグがクリアされ、デジタルスチールカメラ１２はデモモードに戻る。カウンタがオーバーフローしない場合は、デジタルスチールカメラ１２は、ステップ４１６に戻り、次なるボタン押下を待ち続ける。
【００１７】
　電力は、異なる方法で印加可能である。ＡＣ／ＤＣコンバータ３４５接続などのように、バッテリー３４４を再充電する電力を印加する標準接続が検出された場合、プロセッサ３２０は、電力およびデモモードへのデフォルトの印加を検出可能である。プロセッサ３２０はまた、いかなる着脱可能メモリ１６も存在していない場合、電力がデジタルスチールカメラ１２に印加されるなら、デジタルスチールカメラ１２がデモモードにデフォルトすべきか、あるいはユーザから指示を待つべきかを決定するために、この特性を使用可能である。さらに、ＵＳＢあるいは他の電力を供給するコンピュータインタフェースケーブル３４２が適用されている場合、デジタルスチールカメラ１２は、この状態を検出して、デモモードにデフォルトしてもよい。特に、データアクセスではなく、電力を提供する非標準コードが供給された場合、デジタルスチールカメラ１２は、ＵＳＢ電力が印加されたが、コンピュータ接続がないため、結果的にデモモードにデフォルトすると決定可能である。いずれの場合でも、ユニットがデモモードにある場合、標準デジタルスチールカメラ１２タイムアウトを破る準備がなされていることが好ましい。
【００１８】
　加えて、デジタルスチールカメラ１２は、デジタルスチールカメラ１２のｄｃ−ｉｎ、もしくはドックのｄｃ−ｉｎのいずれかからの電力を検出する能力を備え、２つの電源が同時に接続されても、何ら問題も引き起こさないようになっている。従って、小売において、誰かがデモのためにデジタルスチールカメラ１２を作動させた場合でも、消費者は、ドック内にデジタルスチールカメラ１２を置くことが出来る。
【００１９】
　デモ画像が着脱可能メモリカード１６上に提供され、さらに、着脱可能メモリカード１６の存否にかかわらず、電力が印加されるならデジタルスチールカメラ１２が常にデモモードをデフォルトとするなら、デモプログラムは、着脱可能メモリカード１６上に画像を探すことになる。この方式では、デモモードは、小売段階では販売画像を表示し、ユーザがデジタルスチールカメラ１２を取得した後には、ユーザがキャプチャした画像を表示することになる。プロセッサ３２０は、デモモードが適切か否かを判断するために、着脱可能メモリ上にいくつかの特殊データを探してもよい。
【００２０】
　デモプログラムおよび画像は、図５に示されるように、着脱可能メモリカード１６からデジタルスチールカメラ１２にダウンロードされてもよい。デジタルスチールカメラ１２は、ステップ４５０で電源を切られる。着脱可能メモリカード１６が挿入され４５２、デジタルスチールカメラ１２の電源がオンにされる４５４。ステップ４５６で、着脱可能メモリカード１６上のファイルが、自動的に内部メモリにコピーされる。ステップ４５８でプログラムおよび画像がダウンロードされ、デジタルスチールカメラ１２がオフにされた後、着脱可能メモリカード１６は、ステップ４６０でデジタルスチールカメラ１２から取り外され、他のデジタルスチールカメラ１２がデモを実行可能にするよう使用されてもよい。小売の現場での係員によりインストラクションベースで、着脱不可能なメモリへのプログラムおよび画像のダウンロードも行われてよい。これは、デジタルスチールカメラ１２に、プログラムおよび画像をダウンロードするよう指示する、シーケンスのボタン押下の形を取っても良い。デジタルスチールカメラ１２は、プログラムおよび画像を、着脱可能メモリカード１６から自動的にダウンロードするのが好ましい。これは、着脱可能メモリカード１６上のデータを、デモプログラムおよび画像として特定し、次いで着脱可能メモリカード１６上のデータをダウンロードするよう動作する、デジタルスチールカメラ１２により可能となる。データは、デモプログラムおよび／または画像が、着脱可能メモリカード１６上にあることをデジタルスチールカメラ１２に示す、着脱可能メモリカード１６上に存在していてもよい。
【００２１】
　同様に、着脱可能メモリカード１６は、これらのデモプログラム用の複数のデモプログラムおよび複数の画像を含んでいてもよい。この場合、デジタルスチールカメラ１２は、デジタルスチールカメラ１２に適切なデモを特定し、適切なデモプログラムおよび／または画像のみをダウンロードすることが有利である。
【００２２】
　図６は、いかにしてデモモードを可能にするかを示している。ステップ４７０で小売店員は、フラッシュオン／オフ３３３およびシャッターボタン３３１を押したままにする。ステップ４７２でボタンを押したままにしている間、デジタルスチールカメラ１２がオンとなる。最終的に、ステップ４７４で、デジタルスチールカメラ１２がデモモードに入ったのを確認すると、係員はボタンを解放する。
【００２３】
　デモモードに用いられる画像およびデータが着脱可能メモリカード１６に含まれている場合は、着脱可能メモリカード１６がユーザ画像の保存用として、デジタルスチールカメラ１２に供給されていない限り、デジタルスチールカメラ１２に着脱可能メモリカード１６を組み込むための関連コストが必要になるだろう。デジタルスチールカメラ１２にデモモードを可能にする付加装置が供給されているなら、この装置は、限定記憶容量およびコストを有していてもよい。それは、不揮発性であってもよい。この場合、小売店員か潜在的な購買者が、デモ装置からデモ画像を誤って消去してしまう可能性はなくなる。着脱可能揮発性メモリに存在デモ画像の場合は、デモ画像は、デジタルスチールカメラ１２の所有者だけがアクセスし得る、何らかのシーケンスのイベントにより、消去から保護されている必要がある。こうしたシーケンスのイベントの一例は、画像をホストＰＣ３２２にダウンロードすることである。プロセッサ３２０は、デジタルスチールカメラ１２が、デジタルスチールカメラ１２に関連したソフトウェアを動かすコンピュータに接続された後に限り、デモ画像の消去を許すことになる。一旦コンピュータに接続されると、デジタルスチールカメラ１２に関連したソフトウェアは、デモを可能にする特殊データ、デモ画像、もしくはその両方を消去可能となる。特殊データが検出されたときのみデモモードが実行される場合は、この特殊データを消去すると、デモモードを完全に無効にすることが出来る。逆に、ユーザが、メーカーによって提供されたデモ画像、ユーザがキャプチャした画像、もしくは画面に関連したヘルプを表示させるデモモードを実行可能にしたいと所望する場合は、デジタルスチールカメラ１２に関連したソフトウェアを通して、これを可能にすることが出来る。
【００２４】
　デモ用画像は、多くのメモリスペースを要する必要はない。デモ画像は、デジタルスチールカメラ１２上での表示のみを意図しており、通常、デジタルスチールカメラ１２上のディスプレイの解像度はかなり制限されているため、デジタルスチールカメラ１２上のディスプレイで用いられる解像度以上の、いかなる高解像度であれ、無駄なものとなる。例えば、コダック（Ｋｏｄａｋ）のＬＳ４２０ＴＭ　ディジタルスチールカメラ上のディスプレイの解像度は、３２０ピクセル×２４０ピクセルである。しかし、デモモードでは、プロセッサは、これらの低解像度画像を、フル解像度で特定し、表示することが出来なければならない。
【００２５】
　デモモードは、ヘルプ機能と結合されてもよい。デジタルスチールカメラ１２は、ヘルプスクリーンにアクセスすることができるよう、使用中でない場合は、常にデモモードをデフォルトとしてもよい。デモモードは、ユーザがデジタルスチールカメラ１２を操作するのを補助するよう、スクリーンを単にスクロールするものであってもよい。ＲＯＭ内には、デジタルスチールカメラ１２内の書き換え可能メモリ内のデータにより、増強される、基本デモが存在してもよい。この方法はまた、消費者の依頼により、ＰＣからインストラクションデモをアップロードするために使用することも可能である。
【００２６】
　デジタルスチールカメラ１２をパッケージから取り出すことなく、デモモードに入ることが要求されてもよい。図７では、開口部５０２は、電力ケーブル（図示せず）の電力コネクタ５０４への適用を許容するアクセス、を許容するためにパッケージ５００内に設けられる。電力が印加されているとき、デジタルスチールカメラ１２がデモモードをデフォルトとするなら、パッケージ５００を経由する電力の印加は、結果的に、パッケージ５００から取り出されることなく、デジタルスチールカメラ１２をデモモードにすることになる。もちろん、パッケージ５００は、また、ディスプレイ３３２を見ることができるようにするため第２の開口部５０６を設けておく必要があるだろう。
【００２７】
　デモがデジタルスチールカメラ１２のファームウェアメモリ３２８内にある場合、デジタルスチールカメラ１２をデモモードにする他の手段は、デジタルスチールカメラ１２を用いて、デモが実行されるべきことを示す、ターゲット６００の写真を取ることである。例えば、小売店員がデモユニットとして用いるために、デジタルスチールカメラ１２をパッケージ５００から取り出す場合、店員は、パッケージに設けられた、あるいは別途設けられたターゲット６００の写真を撮ってもよい。図８に示されるターゲット６００は、箱の下部など目立たない表面上のパッケージ上に設けられていてもよい。デジタルスチールカメラ１２は、ターゲット６００が検出される場合、パターン６０２、もしくはバーコード６０４、６０６などの、特定の内容をキャプチャした画像を分析して、デモモードに入ることが出来る。
【００２８】
　デジタルスチールカメラ１２が、図９に示されるように、ドッキングステーション１４内で小売展示さている場合、いかなる関連データ転送コマンドをも受けていないなら、デジタルスチールカメラ１２は、ドッキングステーション１４上のボタン１５の押下を検出し、デモモードをデフォルトにすることが出来る。
【００２９】
　デモモードがデモプログラムおよび画像を含み、デモプログラムおよび／または画像がデジタルカメラのメモリ内にある、デジタルカメラ上の画像ディスプレイを利用する方法。
【００３０】
　デモモードがデモプログラムおよび画像を含む、デジタルカメラ上の画像ディスプレイを利用する方法。
【００３１】
　開始ステップが、さらにデジタルカメラの電力増加の間、デモモードを開始することを含む、デジタルカメラ上の画像ディスプレイを利用する方法。
【００３２】
　ユーザ入力がボタンを作動させる、デジタルカメラ上の画像ディスプレイを利用する方法。
【００３３】
　デモモードがデモプログラムおよび画像を含み、デモプログラムおよび／または画像が、着脱可能メモリ上に設けられる、デジタルカメラ上の画像ディスプレイを利用する方法。
【００３４】
　デモモードがデモプログラムおよび画像を含み、デモモードを開始することが、着脱可能メモリの存否を検出することを含む、デジタルカメラ上の画像ディスプレイを利用する方法。
【００３５】
　デモモードがデモプログラムおよび画像を含み、デモプログラムおよび／または画像が着脱可能メモリ上に設けられ、デモモードを開始することが、着脱可能メモリ上のデモプログラムおよび／または画像の存在を検出することを含む、デジタルカメラ上の画像ディスプレイを利用する方法。
【００３６】
　デモモードを開始することが、バッテリーの不在を検出することを含む、デジタルカメラ上の画像ディスプレイを利用する方法。
【００３７】
　デモモードを開始することが、非バッテリー電力を検出することを含む、デジタルカメラ上の画像ディスプレイを利用する方法。
【００３８】
　デモモードを開始することが、非バッテリー電力を検出することを含み、さらに、デモモードを開始することが、データインターフェイスからの電力の存在を検出することを含む、デジタルカメラ上の画像ディスプレイを利用する方法。
【００３９】
　デジタルカメラに関連したソフトウェアプログラムを動かすコンピュータ装置とのデジタルカメラの通信により、デモモードを無効にするステップをさらに含む、デジタルカメラ上の画像ディスプレイを利用する方法。
【００４０】
　デモンストレーションが、ヘルプ機能をさらに含む、デジタルカメラ上の画像ディスプレイを利用する方法。
【００４１】
　デモモードがデモプログラムおよび画像を含み、画像が、デジタルカメラ用画像ディスプレイよりも高い解像度ではない、デジタルカメラ上の画像ディスプレイを利用する方法。
【００４２】
　デモモードが、ユーザがキャプチャした画像のスライドショーの実行に使われる、デジタルカメラ上の画像ディスプレイを利用する方法。
【００４３】
　デモモードが、販売画像の表示に使われる、デジタルカメラ上の画像ディスプレイを利用する方法。
【００４４】
　デモモードがデモプログラムおよび画像を含み、さらに、デモモードがデジタルカメラ内にあり、画像が着脱可能メモリ装置上にある、デジタルカメラ上の画像ディスプレイを利用する方法。
【００４５】
　デモモードがデモプログラムおよび画像を含み、さらに、デモモードが着脱可能メモリ装置上にあり、画像がデジタルカメラ内にある、デジタルカメラ上の画像ディスプレイを利用する方法。
【００４６】
　開始ステップがさらにデジタルカメラの電力増加の間、デモモードを開始すること含む、画像ディスプレイを含むデジタルカメラ。
【００４７】
　ユーザ入力がボタンを作動させる、画像ディスプレイを含むデジタルカメラ。
【００４８】
　デモモードがデモプログラムおよび画像を含み、デモプログラムおよび／または画像がデジタルカメラのメモリ内にある、画像ディスプレイを含むデジタルカメラ。
【００４９】
　デモモードがデモプログラムおよび画像を含み、デモプログラムおよび／または画像が、着脱可能メモリ上に設けられる、画像ディスプレイを含むデジタルカメラ。
【００５０】
　デモモードを開始することが、着脱可能メモリの存否を検出することを含む、画像ディスプレイを含むデジタルカメラ。
【００５１】
　デモモードがデモプログラムおよび画像を含み、デモプログラムおよび／または画像が着脱可能メモリ上に設けられ、デモモードを開始することが、着脱可能メモリ上のデモプログラムおよび／または画像の存在を検出することを含む、画像ディスプレイを含むデジタルカメラ。
【００５２】
デモ・モードを開始することが、バッテリーの不在を検出することを含む、画像ディスプレイを含むデジタルカメラ。
【００５３】
　デモモードを開始することが、非バッテリー電力を検出することを含む、画像ディスプレイを含むデジタルカメラ。
【００５４】
　デモ・モードを開始することが、非バッテリー電力を検出することを含み、さらに、デモ・モードを開始することが、データインターフェイスからの電力の存在を検出することを含む、画像ディスプレイを含むデジタルカメラ。
【００５５】
　デジタルカメラに関連したソフトウェアプログラムを動かすコンピュータ装置と通信するデジタルカメラ上で、デモモードを無効にする手段をさらに含む、画像ディスプレイを含むデジタルカメラ。
【００５６】
　デモンストレーションが、ヘルプ機能をさらに含む、画像ディスプレイを含むデジタルカメラ。
【００５７】
　デモモードがデモプログラムおよび画像を含み、画像が、デジタルカメラ用画像ディスプレイよりも高い解像度ではない、画像ディスプレイを含むデジタルカメラ。
【００５８】
　デモモードが、ユーザがキャプチャした画像のスライドショーの実行に使われる、画像ディスプレイを含むデジタルカメラ。
【００５９】
　デモモードが、販売画像の表示に使われる、画像ディスプレイを含むデジタルカメラ。
【００６０】
　デモモードがデモプログラムおよび画像を含み、さらに、デモモードがデジタルカメラ内にあり、画像が着脱可能メモリ装置上にある、画像ディスプレイを含むデジタルカメラ。
【００６１】
　デモモードがデモプログラムおよび画像を含み、さらに、デモモードが着脱可能メモリ装置上にあり、画像がデジタルカメラ内にある、画像ディスプレイを含むデジタルカメラ。
【図面の簡単な説明】
【００６２】
【図１】本発明に従うデジタルスチールカメラシステムのブロック図である。
【図２】本発明に従う、デモを表示するデジタルスチールカメラの一例の背面図である。
【図３】本発明に従って示される、デモの他の例である。
【図４】カメラがデモモードであるか否かを判断するためのフローチャートである。
【図５】カメラへの動力供給、およびメモリカードの着脱をするためのフローチャートである。
【図６】デモモード開始のためのフローチャートである。
【図７】小売棚上の、カメラの収容および動力供給のためのパッケージの背面図を示す。
【図８】ユーザによるデモ撮影の目標例を示す。
【図９】ドッキングステーション内でのカメラを示す。
【符号の説明】
【００６３】
　１２　デジタルスチールカメラ
　１４　ドッキングステーション
　１５　ボタン
　１６　着脱可能メモリカード
３０２　フラッシュ
３０３　ユーザコントロール
３０４　制御プロセッサおよびタイミングジェネレータ
３０６　クロックドライバー
３０８　自動露光検知器
３１２　レンズ
３１４　画像センサ
３１６　ＡＳＰおよびＡ／Ｄコンバータ
３１８　ＤＲＡＭバッファメモリ
３２０　プロセッサ
３２２　ホストｐｃ
３２４　メモリカードインタフェース
３２６　ＲＡＭメモリ
３２８　ファームウェアメモリ
３３１　シャッターボタン
３３２　画像ディスプレイ
３３３　フラッシュオン／オフボタン
３４２　ホストインタフェース
３４４　バッテリー
３４５　ＡＣ／ＤＣコンバータ
３４６　電源
４０２　テキスト表示
４０４　色背景
４０６　画像
５００　パッケージ
５０２　第１の開口部
５０４　電源コネクタ
５０６　第２の開口部
６００　ターゲット
６０２　パターン
６０４　バーコード
６０６　バーコード
【図１】
2004096756.tif 000003
【図２】
2004096756.tif 000004
【図３】
2004096756.tif 000005
【図４】
2004096756.tif 000006
【図５】
2004096756.tif 000007
【図６】
2004096756.tif 000008
【図７】
2004096756.tif 000009
【図８】
2004096756.tif 000010
【図９】
2004096756.tif 000011